(57)【要約】  複数のデータパケット信号送受信機を試験するためのＮ×Ｎ多入力、多出力（ＭＩＭＯ）データパケット信号送受信機を使用するためのシステムおよび方法。例示的な一実施形態に従って、複数の単入力、単出力（ＳＩＳＯ）データパケット信号送受信機の同時試験のために、Ｎ×Ｎ  ＭＩＭＯアクセスポイントを使用することができる。選択的なデータパケット信号の破損（例えば、データパケット信号減衰という形態の）により、データパケット信号送受信機のそれぞれの１つからの送信信号の個々の試験が可能になる。
2016529842.tif 000002
【特許請求の範囲】
【請求項１】
複数のデータパケット信号送受信機を試験するためのＮ×Ｎ多入力、多出力（ＭＩＭＯ）データパケット信号送受信機を備えるシステムを含む装置であって、
複数のデータパケット信号送受信機被試験デバイス（ＤＵＴ）から複数のＮ個の送信データパケット信号を伝達するために、および、前記複数のＤＵＴに複数のＮ個の受信データパケット信号を伝達するために、前記複数のＤＵＴと通信するための複数のＮ個の信号経路と、
前記複数のＮ個の送信データパケット信号の少なくとも一部分を受信し、かつ、前記複数のＮ個の受信データパケット信号を提供するためのＮ×Ｎ  ＭＩＭＯデータパケット信号送受信機と、
前記Ｎ×Ｎ  ＭＩＭＯデータパケット信号送受信機と前記複数のＮ個の信号経路との間で結合された信号制御回路であって、前記Ｎ×Ｎ  ＭＩＭＯデータパケット信号送受信機で受信された前記複数のＮ個の送信データパケット信号のうちの１つ以上の各々の少なくとも一部分を破損させることによって前記複数のＮ個の送信データパケット信号に応答する信号制御回路と
を備える、装置。
【請求項２】
前記複数のＮ個の信号経路が複数のＮ個の導電性無線周波数（ＲＦ）信号経路を含む、請求項１に記載の装置。
【請求項３】
前記複数のＤＵＴの少なくとも一部分の各々の１つが単入力、単出力（ＳＩＳＯ）ＤＵＴを含む、請求項１に記載の装置。
【請求項４】
前記Ｎ×Ｎ  ＭＩＭＯデータパケット信号送受信機が複数ユーザＮ×Ｎ  ＭＩＭＯデータパケット信号送受信機を含む、請求項１に記載の装置。
【請求項５】
前記Ｎ×Ｎ  ＭＩＭＯデータパケット信号送受信機がＮ×Ｎ  ＭＩＭＯアクセスポイントを含む、請求項１に記載の装置。
【請求項６】
前記Ｎ×Ｎ  ＭＩＭＯデータパケット信号送受信機が、前記複数のＮ個の送信データパケット信号の前記少なくとも一部分を同時に受信し、かつ、前記複数のＮ個の受信データパケット信号を同時に提供するためのものである、請求項１に記載の装置。
【請求項７】
前記信号制御回路が、実質的に破損していない形式で前記複数のＮ個の受信データパケット信号を伝達することによって前記Ｎ×Ｎ  ＭＩＭＯデータパケット信号送受信機からの１つ以上の制御信号にさらに応答する、請求項１に記載の装置。
【請求項８】
前記１つ以上の制御信号が、前記複数のＮ個の受信データパケット信号の各々の少なくとも開始時刻を示す、請求項７に記載の装置。
【請求項９】
前記信号制御回路が、
１つ以上の第１の制御信号を提供することによって前記複数のＮ個の送信データパケット信号に応答する信号測定回路と、
前記信号測定回路と結合され、かつ、前記Ｎ×Ｎ  ＭＩＭＯデータパケット信号送受信機で受信された前記複数のＮ個の送信データパケット信号のうちの１つ以上の各々の前記少なくとも一部分を破損させることによって前記１つ以上の第１の制御信号に応答する信号調節回路と
を備える、請求項１に記載の装置。
【請求項１０】
前記１つ以上の第１の制御信号が、前記複数のＮ個の送信データパケット信号の各々の振幅、開始時刻および終了時刻の少なくとも１つを示す、請求項９に記載の装置。
【請求項１１】
前記信号調節回路が、実質的に破損していない形式で前記複数のＮ個の受信データパケット信号を伝達することによって前記Ｎ×Ｎ  ＭＩＭＯデータパケット信号送受信機からの１つ以上の第２の制御信号にさらに応答する、請求項９に記載の装置。
【請求項１２】
Ｎ×Ｎ多入力、多出力（ＭＩＭＯ）データパケット信号送受信機を用いて、複数の単入力、単出力（ＳＩＳＯ）データパケット信号送受信機を試験する方法であって、
複数のデータパケット信号送受信機被試験デバイス（ＤＵＴ）から複数のＮ個の送信データパケット信号を伝達するために、および、前記複数のＤＵＴに複数のＮ個の受信データパケット信号を伝達するために、前記複数のＤＵＴと通信するための複数のＮ個の信号経路を提供するステップと、
前記複数のＮ個の送信データパケット信号の少なくとも一部分をＮ×Ｎ  ＭＩＭＯデータパケット信号送受信機で受信するステップと、
前記複数のＮ個の受信データパケット信号を前記Ｎ×Ｎ  ＭＩＭＯデータパケット信号送受信機で提供するステップと、
前記Ｎ×Ｎ  ＭＩＭＯデータパケット信号送受信機で受信された前記複数のＮ個の送信データパケット信号のうちの１つ以上の各々の少なくとも一部分を破損させることによって前記複数のＮ個の送信データパケット信号に応答するステップと
を含む、方法。
【請求項１３】
複数のＮ個の信号経路を提供する前記ステップが複数のＮ個の導電性無線周波数（ＲＦ）信号経路を提供するステップを含む、請求項１２に記載の方法。
【請求項１４】
前記複数のＤＵＴの少なくとも一部分の各々の１つが単入力、単出力（ＳＩＳＯ）ＤＵＴを含む、請求項１２に記載の方法。
【請求項１５】
前記Ｎ×Ｎ  ＭＩＭＯデータパケット信号送受信機が複数ユーザＮ×Ｎ  ＭＩＭＯデータパケット信号送受信機を含む、請求項１２に記載の方法。
【請求項１６】
前記Ｎ×Ｎ  ＭＩＭＯデータパケット信号送受信機がＮ×Ｎ  ＭＩＭＯアクセスポイントを含む、請求項１２に記載の方法。
【請求項１７】
前記複数のＮ個の送信データパケット信号の少なくとも一部分をＮ×Ｎ  ＭＩＭＯデータパケット信号送受信機で受信する前記ステップが、前記複数のＮ個の送信データパケット信号の前記少なくとも一部分を同時に受信するステップを含み、かつ、
前記複数のＮ個の受信データパケット信号を前記Ｎ×Ｎ  ＭＩＭＯデータパケット信号送受信機で提供する前記ステップが、前記複数のＮ個の受信データパケット信号を同時に提供するステップを含む、請求項１２に記載の方法。
【請求項１８】
実質的に破損していない形式で前記複数のＮ個の受信データパケット信号を前記複数のＤＵＴに提供することによって前記Ｎ×Ｎ  ＭＩＭＯデータパケット信号送受信機からの１つ以上の制御信号に応答するステップをさらに含む、請求項１２に記載の方法。
【請求項１９】
前記Ｎ×Ｎ  ＭＩＭＯデータパケット信号送受信機で受信された前記複数のＮ個の送信データパケット信号のうちの１つ以上の各々の少なくとも一部分を破損させることによって前記複数のＮ個の送信データパケット信号に応答する前記ステップが、
前記複数のＮ個の送信データパケット信号の各々の少なくとも１つの信号特性を測定し、かつ、それに応答して、１つ以上の第１の制御信号を提供するステップと、
前記Ｎ×Ｎ  ＭＩＭＯデータパケット信号送受信機で受信された前記複数のＮ個の送信データパケット信号のうちの１つ以上の各々の前記少なくとも一部分を破損させることによって前記１つ以上の第１の制御信号に応答するステップと
を含む、請求項１２に記載の方法。
【請求項２０】
前記１つ以上の第１の制御信号が、前記複数のＮ個の送信データパケット信号の各々の振幅、開始時刻および終了時刻の少なくとも１つを示す、請求項１９に記載の方法。
【発明の詳細な説明】
【技術分野】
【０００１】
本発明は、データパケット送受信機を試験することに関し、特に、複数のデータパケット信号送受信機を同時に試験することに関する。
【背景技術】
【０００２】
今日の電子デバイスの多くは、接続および通信の両方の目的のためにワイヤレス技術を使用している。ワイヤレスデバイスは、電磁エネルギーを送受信することから、さらに２つ以上のワイヤレスデバイスは、信号周波数および電力スペクトル密度によって、互いの動作に干渉する可能性があることから、これらのデバイスおよびワイヤレス技術は、様々なワイヤレス技術標準仕様に準拠していなければならない。
【０００３】
このようなワイヤレスデバイスを決める際に、技術者は、このようなデバイスが、それぞれに含まれるワイヤレス技術規定標準ベース仕様に確実に合致するか、または上回るように、特別な注意を払っている。さらに、その後これらのデバイスが量産される際には、これらのデバイスは、製造上の欠陥が原因で動作不良を起こすことがないように、含まれるワイヤレス技術標準ベース仕様に確実に準拠していることも含めて試験される。
【０００４】
これらのデバイスを、製造および組み立て後に試験するために、現行のワイヤレスデバイス試験システムは、各デバイスから受信された信号を分析するためのサブシステムを採用している。そのようなサブシステムは、通常、少なくとも、被試験デバイスに送信されるソース信号を供給するためのベクトル信号発生器（ＶＳＧ）と、被試験デバイスによって生成された信号を分析するためのベクトル信号分析器（ＶＳＡ）とを含む。ＶＳＧによる試験信号の生成、およびＶＳＡによって実行される信号の分析は一般に、多様なデバイスがそれぞれ、異なる周波数範囲、帯域幅、および信号変調特性を有する多様なワイヤレス技術規定に準拠していることを試験するために使用できるようにプログラム可能である。
【０００５】
ワイヤレス通信デバイスの製造の一環として、生産コストのかなりの部分を占めるものの１つは、製造試験に関連したコストである。通常、試験のコストと、試験を実行するのに必要な時間との間には、直接的な相関関係がある。そのため、試験精度を妥協することなくまたは装置コストが増加すること（例えば、必要な試験装置、またはテスタをさらに高度化させることによるコスト増加）なく、試験時間を短縮することが可能なイノベーションは、重要であり、特に、そのようなデバイスが大量に製造され、かつ、試験されることを考慮すると、大幅にコストを節約することが可能である。
【０００６】
ワイヤレス無線周波数（ＲＦ）データパケット信号送受信機の設計および動作における最近の開発は、複数のアンテナで実施される多入力および多出力の使用であった。言い換えれば、そのようなデバイス（多入力、多出力（ＭＩＭＯ）デバイスと呼ばれる）は、それらのデバイスのデータパケット信号のワイヤレス送信および受信に対して複数のアンテナを使用する。それに従って、そのようなデバイスを試験する際は、それらのデバイスのＭＩＭＯ能力を発揮させるような方法でそれらのデバイスを試験するための規定が作成される。例えば、これは、その送信機および受信機のすべてがそれぞれのアンテナ接続を介してそれぞれのデータパケットストリームの送信および受信のそれぞれの動作を行うように、被試験デバイス（ＤＵＴ）を動作することを含む。それ故、すべての送信機およびすべての受信機を同時に試験することができる。
【０００７】
しかし、単入力、単出力（ＳＩＳＯ）データパケット信号送受信機の場合、そのようなデバイスは、複数のＤＵＴのそのような同時試験を達成するための洗練された専用の試験ハードウェア、または代替的に、そのような洗練された試験装置と関連付けられたより高い資本コストを避けるための時間のかかるシーケンシャルな試験を必要とする。
【発明の概要】
【発明が解決しようとする課題】
【０００８】
それに従って、洗練された専用の試験装置の必要性を避ける一方で、純粋にシーケンシャルな試験よりも迅速に複数のＳＩＳＯデバイスを試験するための技法を有することが望ましい。
【課題を解決するための手段】
【０００９】
本出願に係る発明に従って、複数のデータパケット信号送受信機を試験するためのＮ×Ｎ多入力、多出力（ＭＩＭＯ）データパケット信号送受信機を使用するためのシステムおよび方法が提供される。例示的な一実施形態に従って、複数の単入力、単出力（ＳＩＳＯ）データパケット信号送受信機の同時試験のために、Ｎ×Ｎ  ＭＩＭＯアクセスポイントを使用することができる。選択的なデータパケット信号の（例えば、データパケット信号減衰という形態の）破損により、データパケット信号送受信機のそれぞれの１つからの送信信号の個々の試験が可能になる。
【００１０】
本出願に係る発明の一実施形態に従って、複数のデータパケット信号送受信機を試験するためのＮ×Ｎ多入力、多出力（ＭＩＭＯ）データパケット信号送受信機を備えるシステムは、
複数のデータパケット信号送受信機被試験デバイス（ＤＵＴ）から複数のＮ個の送信データパケット信号を伝達するために、および、前記複数のＤＵＴに複数のＮ個の受信データパケット信号を伝達するために、前記複数のＤＵＴと通信するための複数のＮ個の信号経路と、
前記複数のＮ個の送信データパケット信号の少なくとも一部分を受信し、かつ、前記複数のＮ個の受信データパケット信号を提供するためのＮ×Ｎ  ＭＩＭＯデータパケット信号送受信機と、
前記Ｎ×Ｎ  ＭＩＭＯデータパケット信号送受信機と前記複数のＮ個の信号経路との間で結合された信号制御回路であって、前記Ｎ×Ｎ  ＭＩＭＯデータパケット信号送受信機で受信された前記複数のＮ個の送信データパケット信号のうちの１つ以上の各々の少なくとも一部分を破損させることによって前記複数のＮ個の送信データパケット信号に応答する信号制御回路と
を含む。
【００１１】
本出願に係る発明の別の実施形態に従って、Ｎ×Ｎ多入力、多出力（ＭＩＭＯ）データパケット信号送受信機を用いて、複数の単入力、単出力（ＳＩＳＯ）データパケット信号送受信機を試験する方法は、
複数のデータパケット信号送受信機被試験デバイス（ＤＵＴ）から複数のＮ個の送信データパケット信号を伝達するために、および、前記複数のＤＵＴに複数のＮ個の受信データパケット信号を伝達するために、前記複数のＤＵＴと通信するための複数のＮ個の信号経路を提供するステップと、
前記複数のＮ個の送信データパケット信号の少なくとも一部分をＮ×Ｎ  ＭＩＭＯデータパケット信号送受信機で受信するステップと、
前記複数のＮ個の受信データパケット信号を前記Ｎ×Ｎ  ＭＩＭＯデータパケット信号送受信機で提供するステップと、
前記Ｎ×Ｎ  ＭＩＭＯデータパケット信号送受信機で受信された前記複数のＮ個の送信データパケット信号のうちの１つ以上の各々の少なくとも一部分を破損させることによって前記複数のＮ個の送信データパケット信号に応答するステップと
を含む。
【図面の簡単な説明】
【００１２】
【図１】本出願に係る発明の例示的な実施形態に従って複数のデータパケット信号送受信機を試験するための試験環境を図示する。
【図２】本出願に係る発明の別の例示的な実施形態に従って複数のデータパケット信号送受信機を試験するための試験環境を図示する。
【図３】本出願に係る発明の例示的な実施形態に従って複数のデータパケット信号送受信機の送信信号試験のための信号タイミング図を図示する。
【図４】本出願に係る発明の別の例示的な実施形態に従って複数のデータパケット信号送受信機の受信信号試験のための信号タイミング図を図示する。
【発明を実施するための形態】
【００１３】
以下の詳細な説明は、添付図面を参照して本出願に係る発明の例示の実施形態を説明するものである。そのような説明は、例示を意図とするものであって、本発明の範囲に関して限定するものではない。そのような実施形態は、当業者が主題となる本発明を実践することを可能にするよう十分に詳細に説明され、また、主題となる本発明の趣旨または範囲から逸脱することなく、いくつかの変更を加えて、他の実施形態が実践され得ることが理解されよう。
【００１４】
本開示の全体を通じて、文脈から反対のことが明示されない限り、説明される個々の回路素子の数は、単数または複数であり得ることが理解されよう。例えば、用語「回路（ｃｉｒｃｕｉｔ）」および「回路（ｃｉｒｃｕｉｔｒｙ）」は、単一の構成要素または複数の構成要素のいずれかを含んでもよく、それらは、能動的および／または受動的のいずれでもよく、接続されるか、または別の方法で互いに結合されて（例えば、１つ以上の集積回路チップとして）、説明される機能を提供する。さらには、用語「信号」は、１つ以上の電流、１つ以上の電圧、またはデータ信号を指す場合がある。図面内では、類似または関連する要素は、類似または関連する英字、数字、または英数字の指示表記を有する。さらに、本発明は、ディスクリート電子回路（好ましくは、１つ以上の集積回路チップの形態の）を使用する実装形態に関連して論じられているが、そのような回路の任意の部分の機能も、信号周波数または処理されるデータ速度に応じて、適切にプログラムされた１つ以上のプロセッサを使用して代替的に実施することができる。さらに、図が様々な実施形態の機能ブロック図を示す範囲で、その機能ブロックは、ハードウェア回路間の区分を必ずしも示すものではない。
【００１５】
以下で論じられるように、本出願に係る発明の例示的な実施形態に従って、Ｎ×Ｎ  ＭＩＭＯアクセスポイント（ＡＰ）などのＮ×Ｎ  ＭＩＭＯデータパケット信号送受信機は、各ＳＩＳＯ  ＤＵＴとＭＩＭＯ  ＡＰ上のそのそれぞれの信号ポートとの間で信号を伝達するために、導電性ＲＦ信号経路（例えば、同軸ケーブルおよびコネクタ）などの信号経路を使用して、複数のＳＩＳＯデータパケット信号送受信機被試験デバイス（ＤＵＴ）などの複数のデータパケット信号送受信機を試験するために使用される。信号経路は、説明するようにいくつかある要素の中で特に、信号経路損失または減衰を制御する（例えば、変化させる）ための手段と、データパケット信号エンベロープ電力を検出するための手段と、可変信号経路損失を制御するための手段とを含む。（以下の論考は、複数のＳＩＳＯ  ＤＵＴと通信する単一ユーザＭＩＭＯ  ＡＰに関するものであるが、説明される技法は、複数のＭＩＭＯ  ＤＵＴまたは複数のＳＩＳＯ  ＤＵＴと通信する複数ユーザＭＩＭＯ  ＡＰに関与する試験環境にも適用できることが当業者によって理解されよう）。
【００１６】
さらなる例示的な実施形態に従って、データパケット信号の分析（例えば、物理層データパケット信号特性の分析）を可能にするために、１つ以上のＶＳＡなどの１つ以上のデータパケット信号分析デバイスを含めることができる。
【００１７】
ＤＵＴの送信信号試験のための例示的な実施形態に従って、選択的なデータパケット信号の破損（例えば、データパケット信号経路損失の増大）が使用される。それに従って、すべてのＳＩＳＯ  ＤＵＴとＭＩＭＯ  ＡＰとの間の信号経路リンクの存在にもかかわらず、ＭＩＭＯ  ＡＰは、１つのＳＩＳＯ  ＤＵＴのみを認識しながら動作することひいては１つのＳＩＳＯ  ＤＵＴのみと通信することができる。それに従って、送信試験の間、ＭＩＭＯ  ＡＰは、単一のＳＩＳＯ  ＤＵＴとリンクおよび通信しているかのように振る舞う。しかし、その間、すべてのＳＩＳＯ  ＤＵＴが応答している（例えば、ｐｉｎｇ信号応答で）。これらの応答は、ＭＩＭＯ  ＡＰによって実際に受信される前ではあるが別の方法で検出および測定された（例えば、信号エンベロープ電力のために検出されたかまたはＥＶＭ（エラーベクトルの大きさ）特性のために分析された）後に破損（例えば、減衰）している。それに従って、すべてのＳＩＳＯ  ＤＵＴは、送信信号電力および物理層データパケット信号特性に対して効果的に同時に試験することができる。
【００１８】
同様に、受信信号試験の間、データパケットは、ＭＩＭＯ  ＡＰによってＳＩＳＯ  ＤＵＴに送信されるが、ＳＩＳＯ  ＤＵＴからＭＩＭＯ  ＡＰに戻ってくる確認データパケットは、この場合もやはり、ＭＩＭＯ  ＡＰが信号ＳＩＳＯ  ＤＵＴのみと通信することを認識するように選択的に破損させる。しかし、前に述べたように、破損前のそのような確認データパケットは、例えば、データパケット信号エンベロープ電力検出器によって、検出および計数される。それに従って、前に述べたように、すべてのＳＩＳＯ  ＤＵＴは、効果的に並行に試験することができる。
【００１９】
図１を参照すると、本出願に係る発明の例示的な実施形態に従って試験システムおよび方法を採用するための試験環境１０は、対応する数（Ｎ）のＤＵＴ１００を試験するための、Ｎ×Ｎ  ＭＩＭＯ  ＡＰ１２と、対応する数（Ｎ）の信号調節回路１４と、信号分割器（または分割器もしくはカプラ）１６と、電力測定回路１８と、制御回路（または論理）２０とを含む。必要に応じて、ＤＵＴは、それぞれの遮蔽空間１０２によって個別に絶縁し、信号調節回路１４および信号分割器１６によって形成された信号経路と共に別の遮蔽空間１０４にさらに含めることができる。さらには、ＤＵＴ１００のための受信データ信号の提供の際のＭＩＭＯ  ＡＰ１２による使用のために１つ以上のソース信号２３を提供するために、ＶＳＧ２２を含めることができる。
【００２０】
本明細書の例の目的のため、Ｎ×Ｎシステムは４×４システムであり、４つのＤＵＴ１００を試験するための４つの信号調節回路１４および信号分割器１６を含む４つの信号経路と共に４×４  ＭＩＭＯ  ＡＰが使用される。しかし、そのようなシステムは、ＭＩＭＯ信号ポートおよび信号経路の数の観点から拡大または縮小できることが当業者によって容易に理解されよう。
【００２１】
ＭＩＭＯ  ＡＰ１２およびＤＵＴ１００は、周知の技法（例えば、ＲＦ信号ケーブルおよびコネクタを使用する）に従って、信号経路１３、１５、１７を介して通信し、信号経路１３、１５、１７は、次々と、ＭＩＭＯ  ＡＰ１２、信号調節回路１４、信号分割器１６およびＤＵＴ１００間の信号通信を提供する。ＭＩＭＯ  ＡＰ１２は、受信データパケット信号１３ａｒ、１３ｂｒ、１３ｃｒ、１３ｄｒを信号調節回路１４に提供し、信号調節回路１４は、ＤＵＴ１００へのさらなる伝達１７ａｒ、１７ｂｒ、１７ｃｒ、１７ｄｒのために、実質的に破損していない形式で信号１５ａｒ、１５ｂｒ、１５ｃｒ、１５ｄｒを信号分割器１６に伝達する（好ましくは、この信号方向には信号分割がほとんどまたは全く付与されない）。
【００２２】
同様に、ＤＵＴ１００ａ、１００ｂ、１００ｃ、１００ｄは、それぞれの送信データパケット信号１７ａｔ、１７ｂｔ、１７ｃｔ、１７ｄｔを信号分割器１６ａ、１６ｂ、１６ｃ、１６ｄに提供する。信号は、信号調節回路１４ａ、１４ｂ、１４ｃ、１４ｄのための入射送信データパケット信号１５ａｔ、１５ｂｔ、１５ｃｔ、１５ｄｔ、および、電力測定回路１８ａ、１８ｂ、１８ｃ、１８ｄによる測定のためのレプリカ（またはサンプル）データパケット信号２５ａ、２５ｂ、２５ｃ、２５ｄに分割される。電力測定回路１８は、それぞれのレプリカ信号２５の信号エンベロープ電力を検出し、各々のレプリカデータパケット信号２５ａ、２５ｂ、２５ｃ、２５ｄのそれぞれの振幅、開始時刻および終了時刻のうちの１つ以上を示す電力測定信号１９を提供する。これらのデータ信号１９ａ、１９ｂ、１９ｃ、１９ｄは、信号調節回路１４のための制御信号２１を提供するために、制御論理２０によって処理される。
【００２３】
制御信号２１に従って、信号調節回路１４ａ、１４ｂ、１４ｃ、１４ｄは、入射送信データパケット信号１５ａｔ、１５ｂｔ、１５ｃｔ、１５ｄｔのもう１つ（好ましくは、１つを残してすべて）を選択的に破損させる（以下でより詳細に論じる）。結果として得られた破損および非破損送信データパケット信号１３ａｔ、１３ｂｔ、１３ｃｔ、１３ｄｔは、ＭＩＭＯ  ＡＰ１２に伝達される。
【００２４】
ＭＩＭＯ  ＡＰ１２が受信データパケット信号１３ａｒ、１３ｂｒ、１３ｃｒ、１３ｄｒを提供する際は、ＭＩＭＯ  ＡＰ１２は、そのような信号１３ａｒ、１３ｂｒ、１３ｃｒ、１３ｄｒの各々の開始時刻および終了時刻のうちの１つ以上を示す１つ以上の制御信号２７も提供する。これにより、制御論理２０は、その制御信号２１が信号調節回路１４に、信号分割器１６への実質的に破損していない形式での（例えば、存在する場合は、最小の信号減衰での）受信データパケット信号の伝達を行わせることを保証することができる。
【００２５】
図２を参照すると、さらなる例示的な実施形態に従って、レプリカデータパケット信号２５の様々な信号特性を分析するために、１つ以上のＶＳＡ３０を含めることができる。レプリカ送信データパケット信号２５をさらに分割して、ＶＳＡ３０による処理のための十分に絶縁されたレプリカ送信データパケット信号３１ａ、３１ｂ、３１ｃ、３１ｄを提供するために、追加の信号分割器３２ａ、３２ｂ、３２ｃ、３２ｄを含めることができる。さらに、別の代替手段として、ＤＵＴ１００のための受信データ信号を提供するための主要な信号分割器１６または追加の信号分割器３２ａ、３２ｂ、３２ｃ、３２ｄ（ＶＧ信号方向において信号結合器またはカプラとして機能する）にＶＳＧ２２を接続することもできる（例えば、信号スイッチングまたは結合回路を介して）。
【００２６】
以下でより詳細に論じられるように、それぞれの制御信号２１による信号調節回路１４は、減衰されたデータパケット信号がＭＩＭＯ  ＡＰ１２によってエラーなしでは受信できないように十分なデータパケット信号減衰が起こるレベルに信号経路損失を変化させる。そのようなデータパケット信号減衰は、好ましくは、トレーニングシーケンスの終了時ではあるがデータパケット信号内のデータペイロードの前に開始される。これにより、対応するＭＩＭＯ  ＡＰ１２受信チャネルが信号の受信を開始し、その自動利得制御（ＡＧＣ）回路（図示せず）がそのような信号減衰の間にデータパケット信号利得を安定させて確立し、それにより、ＡＧＣがさらなる調整を行わないこと、および、未知のまたは望まない漏れ信号経路を介して他のポート／チャネル信号を誤ってチャネルに受信させないことを保証することが確認される。その間、ＭＩＭＯ  ＡＰ１２が１つのＤＵＴ１００のみと効果的に通信しているこの時間の間、信号調節回路１４の上流（ＤＵＴ送信信号に対して）の電力測定回路１８は、依然として、データパケット破損なしで送信データパケット信号の電力測定を実行することができる。
【００２７】
図３を参照すると、送信信号試験の間、ＭＩＭＯ  ＡＰ１２は、それぞれのＤＵＴ１００との通信リンクに着手するために、着手データパケット１３ｒｉを提供する。これらの着手データパケット１３ｒｉに応答して、ＤＵＴ１００は、ＭＩＭＯ  ＡＰ１２とのそれぞれの通信リンクを確立するために、要求データパケット１３ｔｒを送信する。上記で論じられるように、電力測定回路１８は、ＤＵＴ送信信号１３ｔｒ（例えば、その開始時刻ｔ１、終了時刻ｔ３およびデータパケット継続時間ｔ３−ｔ１のうちの１つ以上）を検出し、その後、制御論理２０は、１つの送信データパケット信号１３ｔｒｄ以外のすべて１３ｔｒａ、１３ｔｒｂ、１３ｔｒｃが破損するように適切な制御信号２１を提供し（例えば、安定したＡＧＣとの受信経路を確保するため、データパケット開始時刻ｔ１の後の時刻ｔ２に）、それにより、ＭＩＭＯ  ＡＰ１２信号ポートのうちの１つのみが１つのＤＵＴ１００と通信していることを保証する。通信（例えば、ＭＩＭＯ  ＡＰ１２との）は続き、すべてのＮ個のポートからのｐｉｎｇデータパケット、ＤＵＴ１００によって提供される確認データパケット１３ｔａおよびｐｉｎｇ応答データパケット１３ｔｐが続き、対応するデータパケットは破損した状態であり、その結果、１つのＭＩＭＯ  ＡＰ１２信号ポートとその対応するＤＵＴ１００ｄとの間の最初に確立された通信リンクを維持することができる。
【００２８】
図４を参照すると、同様に、受信信号試験の間、ＤＵＴ１００によって送信されたデータパケット１３ｔｒ、１３ｔａは、ＭＩＭＯ  ＡＰ１２の１つの信号ポートとその対応するＤＵＴ１００ｄとの間の信号通信リンクの確立を確保するために、選択的に破損させる。データパケット１３ｒｄｂ、１３ｒｄｄがＭＩＭＯ  ＡＰ１２によって送信されるが、その対応するＤＵＴ１００ｂ、１００ｄによって受信されず、したがって、対応する確認応答（ＡＣＫ）データパケット１３ｔａｂ、１３ｔａｄによって確認されないそれらの例でさえ、そのそれぞれのＤＵＴ１００ｂ、１００ｄによる誤った受信にもかかわらず電力測定回路１８によってそのようなデータパケット１３ｒｄｂ、１３ｒｄｄを検出することができるため、そのようなデータパケット１３ｒｄｂ、１３ｒｄｄの存在は、それにもかかわらず、電力測定回路１８を使用してデータパケット計数によって確認することができる。それに従って、受信信号試験は、すべてのＮ個のＤＵＴ１００に対して同時に実行することができる。さらに、ＶＳＡ３０（図２）を使用することで、ＭＩＭＯ  ＡＰ１２からＤＵＴ１００に送信されたデータパケットで適切に受信されなかったもの（すなわち、対応する応答確認データパケット１３ｔａｂ、１３ｔａｄが生じなかったもの）は、依然として、そのようなデータパケット１３ｒｄｂ、１３ｒｄｄが誤ったものであったかどうかまたは対応するＤＵＴ１００ｂ、１００ｄが何らかの理由で実際は良いデータパケットであったものの受信、検出もしくは応答に失敗したかどうかを判断するために捕捉して分析することができる。
【００２９】
本発明の範囲および趣旨から逸脱することのない、本発明の構造および動作方法における様々な他の修正形態および変更形態が、当業者には明らかであろう。本発明は、特定の好適な実施形態に関連して説明されているが、特許請求される本発明は、そのような特定の実施形態に不当に限定されるべきではないことを理解されたい。以下の特許請求の範囲は、本発明の範囲を規定するものであり、この特許請求の範囲およびその均等物の範囲内の構造および方法が特許請求の範囲によって包含されることを意図している。
【図１】
2016529842.tif 000003
【図２】
2016529842.tif 000004
【図３】
2016529842.tif 000005
【図４】
2016529842.tif 000006
【国際調査報告】
2016529842.tif 000007
2016529842.tif 000008